(57)【要約】【課題】ジョギングするときなどに携帯して簡便に光を点滅させることができる発光装置を提供する。【解決手段】使用者が操作する操作部４と、筒状コイル６と、筒状コイル６の内部に設置された鉄芯７と、操作部４に連設され操作部４の操作に伴って鉄芯７に対して当接および離脱が可能な磁石８とが設けられた発電手段である発電機３と、この筒状コイル６に接続され、磁石８が鉄芯７に対して当接および／または離脱することによって発光する発光ダイオード５ａ，５ｂ，５ｃ，５ｄ，５ｅ，５ｆとを備えているので、ジョギングするときなどに携帯して簡便に光を点滅させることができる。【選択図】図１
0003167862.tif 000002
【実用新案登録請求の範囲】
【請求項１】
操作者が操作する操作部と、
筒状コイルと、筒状コイルの内部に設置された鉄芯と、操作部に連設され操作部の操作に伴って鉄芯に対して当接および離脱が可能な磁石とが設けられた発電手段と、
この筒状コイルに接続され、前記磁石が鉄芯に対して当接および／または離脱することによって発光する発光ダイオードとを備えた発光装置。
【請求項２】
操作者が操作する操作部と、
筒状コイルと、操作部に連設され操作部の操作に伴って筒状コイルの内部への挿入および筒状コイルの内部へ挿入された状態から取り出しが可能な磁石とが設けられた発電手段と、
この筒状コイルに接続され、前記磁石の挿入および／または取り出しによって発光する発光ダイオードとを備えた発光装置。
【請求項３】
操作部は、ばね付勢された状態で片手で操作することができることを特徴とする請求項１または２に記載の発光装置。
【考案の詳細な説明】
【技術分野】
【０００１】
本考案は、夜間ジョギングするときなどに携帯して簡便に発光させることができる発光装置に関する。
【背景技術】
【０００２】
従来から暴漢または野犬などに襲われた場合に、ブザーを鳴らして威嚇する携帯用防犯ブザー、あるいは目などに刺激剤を噴射して視界を奪う携帯用スプレーはあった。特許文献１には、腕時計のムーブメントに隣接して簡単に操作することができるブザースイッチを設け、このブザースイッチを作動させてブザーを鳴らす携帯用防犯ブザーが記載されている。特許文献２には、目などを刺激する刺激剤を噴射させるための噴射ボタンを操作し易い形状として、暴漢などを撃退する携帯用スプレーが記載されている。特許文献１の携帯用防犯ブザーまたは特許文献２の携帯用スプレーは、いずれも襲ってくる暴漢などを威嚇して撃退するためのものである。
【先行技術文献】
【特許文献】
【０００３】
【特許文献１】特開２００８−１８６０６２号公報
【特許文献２】特開２００５−５９９６０号公報
【考案の概要】
【考案が解決しようとする課題】
【０００４】
携帯用防犯ブザーまたは携帯用スプレーは、暴漢などが襲ってきたときに威嚇し、あるいは身体の自由を奪って撃退するために用いられるが、暴漢などが襲ってくることを未然に防ぐことはできない。たとえば夜間ジョギングをする場合に、簡便な方法で光を点滅させる機器を携帯することができれば、人目を惹き易いので、暴漢などが襲ってくることを未然に防ぐことができる。また、この機器を発電しながら用いることができれば、電池を装着しなくてもよく、さらに機器の軽量化を図ることができる。
【０００５】
本考案の目的は、このような課題を解決するもので、ジョギングするときなどに携帯して簡便に光を点滅させることができる発光装置を提供することである。
【課題を解決するための手段】
【０００６】
この課題を解決するために請求項１の考案は、操作者が操作する操作部と、筒状コイルと、筒状コイルの内部に設置された鉄芯と、操作部に連設され操作部の操作に伴って鉄芯に対して当接および離脱が可能な磁石とが設けられた発電手段と、この筒状コイルに接続され、前記磁石が鉄芯に対して当接および／または離脱することによって発光する発光ダイオードとを備えている。請求項２の考案は、操作者が操作する操作部と、筒状コイルと、操作部に連設され操作部の操作に伴って筒状コイルの内部への挿入および筒状コイルの内部へ挿入された状態から取り出しが可能な磁石とが設けられた発電手段と、この筒状コイルに接続され、前記磁石の挿入および／または取り出しによって発光する発光ダイオードとを備えている。請求項３の考案では、操作部がばね付勢された状態で片手で操作することができるものである。
【考案の効果】
【０００７】
使用者は、ジョギングするときなどに携帯して、操作部を連続して操作して簡便に光を点滅させることができるので、人目を惹き易くなり、暴漢などが襲ってくることを未然に防ぐことができる。
【図面の簡単な説明】
【０００８】
【図１】本考案の一実施の形態に係るカバーを開けた発光装置の斜視図である。
【図２】同発光装置の斜視図である。
【図３】同発光装置の断面図である。
【図４】同操作部を押した状態の発光装置の斜視図である。
【図５】同磁石位置を示す斜視図である。
【図６】同操作部の押圧を止めた状態の発光装置の斜視図である。
【考案を実施するための形態】
【０００９】
以下、本考案の第１の実施の形態について図１〜図６に基づいて説明する。発光装置１は、本体２と、発電手段である発電機３と、操作者が操作する操作部４と、発電機３が発電した電力が供給されて点滅する発光ダイオード５とを備える。
【００１０】
本体２は、角部が面取りされた矩形であり、片手で持ち歩くことができる大きさとされる。発電機３は、本体の略中央部に設置される筒状コイル６と筒状コイル６の内部に設置される鉄芯７と、鉄芯７の端面に対して当接および離脱が可能な磁石８とを備える。鉄芯７は、断面Ｌ字状のブラケット９を介して本体２に固定される。
【００１１】
磁石８は円盤状の形状を有しており、鉄芯７の端面に隣接して設置される。磁石８は平板状の取り付け板１０にねじ止めされ、取り付け板１０の両端部は各々ガイド棒１１を介して操作部４に固定されている。取り付け板１０の磁石８が取り付けられる面の背面１２側には、圧縮コイルばね１３が設けられる。圧縮コイルばね１３は、両端部１４，１５が本体２に固定された状態で取り付け板１０の背面１２を付勢する。ガイド棒１１は、ガイド棒１１の外周面がリテーナ１６によって摺動可能に支持される。リテーナ１６は本体２にねじ止めされる。
【００１２】
発光ダイオード５は、本体２の長手方向両端部１７，１８に設けられる。本実施の形態では、長手方向一端部１７に２つの発光ダイオード５ａ，５ｂが設けられ、長手方向他端部１８に４つの発光ダイオード５ｃ，５ｄ，５ｅ，５ｆが設けられる。長手方向一端部１７に設けられた２つの発光ダイオード５ａ，５ｂは、アノードとカソードとの向きが互いに逆向きになるように筒状コイル６に接続されている。長手方向他端部１８に設けられた４つの発光ダイオード５ｃ，５ｄ，５ｅ，５ｆは、２つの発光ダイオード５ｃ，５ｄのアノードとカソードとの向きが他の２つの発光ダイオード５ｅ，５ｆのアノードとカソードとの向きと互いに逆向きになるように筒状コイル６に接続されている。本体２は、発電機３と操作部４と発光ダイオード５ａ，５ｂ，５ｃ，５ｄ，５ｅ，５ｆとが設置された状態でカバー１９がねじ止めされる。
【００１３】
ここで発光ダイオード５ａ，５ｂ，５ｃ，５ｄ，５ｅ，５ｆの発光動作について説明する。図４に示すように、使用者が圧縮コイルばね１３のばね力に抗して操作部４を押すと、鉄芯７の端面に当接していた磁石８が鉄芯７から離れる（図５参照）。筒状コイル６の巻き線を貫く磁束が変化するので、磁束の変化を打ち消す方向に誘導起電力が発生し、本体２一端部１７側の２つの発光ダイオード５ａ，５ｂのうちの１つの発光ダイオード５ａと、本体２他端部１８側の４つの発光ダイオード５ｃ，５ｄ，５ｅ，５ｆのうちの２つの発光ダイオード５ｃ，５ｄとが発光する。
【００１４】
図６に示すように、使用者が操作部４を押すことを止めると、取り付け板１０の背面１２側を付勢する圧縮コイルばね１３によって磁石８が再び鉄芯７に当接する（図５参照）。磁石８が鉄芯７から離れるときに発生する誘導起電力とは逆方向の誘導起電力が発生し、本体２一端部１７側の２つの発光ダイオード５ａ，５ｂのうちの他方側の発光ダイオード５ｂと、本体２他端部１８側の４つの発光ダイオード５ｃ，５ｄ，５ｅ，５ｆのうちの他方の２つの発光ダイオード５ｅ，５ｆとが発光する。
【００１５】
使用者がこのような動作を連続して行うと、発光ダイオード５ａ，５ｂ，５ｃ，５ｄ，５ｅ，５ｆが点滅するので、一層人目を惹くことができる。また、使用者が操作部４を押すことによって発電するので、電池を装着しなくてもよく発光装置１の軽量化を図ることができる。
【００１６】
本実施の形態では、筒状コイル６の内部に鉄芯７を設けたが、これに限定されるものではない。鉄芯７を設けない場合であっても、光量は落ちるものの発光ダイオード５ａ，５ｂ，５ｃ，５ｄ，５ｅ，５ｆを発光させることができる。取り付け板１０に取り付ける磁石８を棒状として、筒状コイル６の内部に鉄芯７を設けることなく、筒状コイル６に対して棒状磁石を出し入れするものでも良い。このようにすると部品点数の削減を図ることができる。
【００１７】
このように、使用者が操作する操作部４と、筒状コイル６と、筒状コイル６の内部に設置された鉄芯７と、操作部４に連設され操作部４の操作に伴って鉄芯７に対して当接および離脱が可能な磁石８とが設けられた発電手段である発電機３と、この筒状コイル６に接続され、磁石８が鉄芯７に対して当接および／または離脱することによって発光する発光ダイオード５ａ，５ｂ，５ｃ，５ｄ，５ｅ，５ｆとを備えているので、ジョギングするときなどに携帯して簡便に光を点滅させることができる。
【００１８】
さらに、使用者が操作する操作部４と、筒状コイル６と、操作部４に連設され操作部４の操作に伴って筒状コイル６の内部への挿入および筒状コイル６の内部へ挿入された状態から取り出しが可能な磁石８とが設けられた発電機３と、この筒状コイル６に接続され、磁石８の挿入および／または取り出しによって発光する発光ダイオード５ａ，５ｂ，５ｃ，５ｄ，５ｅ，５ｆとを備えているので、鉄芯７を設置することなく部品点数の削減を図ることができる。
【００１９】
さらに、操作部４はばね付勢された状態で片手で操作することができるので、発光装置１を片手に持って、たとえばジョギングしながら操作することができる。
【符号の説明】
【００２０】
１    発光装置
２    本体
３    発電機
４    操作部
５，５ａ，５ｂ，５ｃ，５ｄ，５ｅ，５ｆ    発光ダイオード
６    筒状コイル
７    鉄芯
８    磁石
９    ブラケット
１０    取り付け板
１１    ガイド棒
１２    背面
１３    圧縮コイルばね
１４，１５，１７，１８    端部
１６    リテーナ
１９    カバー
【図１】
0003167862.tif 000003
【図２】
0003167862.tif 000004
【図３】
0003167862.tif 000005
【図４】
0003167862.tif 000006
【図５】
0003167862.tif 000007
【図６】
0003167862.tif 000008